(57)【要約】【課題】複数の通信経路を選択可能な通信装置にて、セキュリティーの低下を抑制可能な通信装置を提供する。【解決手段】データ生成部１１は、送信すべきデータを生成する。データ送信部１２は、データ生成部１１が生成したデータを通信相手に送信する。その際、データ送信部１２は、データの一部を第１の通信網を経由して送信し、残りを第１の通信網とは異なる第２の通信網を経由して送信する。【選択図】図２
2010258644.tif 000002
【特許請求の範囲】
【請求項１】
送信すべきデータを生成するデータ生成部と、
通信相手に対して、前記生成されたデータの一部を第１の通信網を経由して送信し、残りを前記第１の通信網とは異なる第２の通信網を経由して送信するデータ送信部とを備える通信装置。
【請求項２】
前記データ生成部が、データの暗号化を行う暗号化部と、前記暗号化されたデータの復号化に用いる復号化キーを生成する復号化キー生成部とを含み、前記データ送信部は、前記復号化キーを前記第１の通信網を経由して前記通信相手に送信し、前記暗号化されたデータを前記第２の通信網を経由して送信する、請求項１に記載の通信装置。
【請求項３】
データを複数のブロックに分割するデータ分割部を更に含み、前記送信部は、前記分割されたブロックのうちの一部を前記第１の通信網を経由して前記通信相手に送信し、残りを前記第２の通信網を経由して前記通信相手に送信する、請求項１又は２に記載の通信装置。
【請求項４】
前記送信部は、前記ブロックごとに、前記第１の通信網と第２の通信網とを切り替えて送信する、請求項３に記載の通信装置。
【請求項５】
前記第１の通信網が携帯網であり、前記第２の通信網が固定網である、請求項１乃至４の何れか一に記載の通信装置。
【請求項６】
セキュリティー設定を判定するセキュリティー設定判定部と、データ送信に用いる通信網を選択する接続先選択部とを更に備え、前記データ送信部は、セキュリティー設定がオンで、かつ、前記接続先選択部が前記固定網を選択するとき、前記生成されたデータの一部を前記携帯網を経由して前記通信相手に送信し、残りを前記固定網を経由して前記通信相手に送信する、請求項５に記載の通信装置。
【請求項７】
通信相手に対して、データの一部を第１の通信網を経由して送信し、残りを前記第１の通信網とは異なる第２の通信網を経由して送信する通信方法。
【請求項８】
データを暗号化すると共に、該暗号化されたデータの復号化に用いる復号化キーを生成し、前記復号化キーを前記第１の通信網を経由して前記通信相手に送信し、前記暗号化されたデータを前記第２の通信網を経由して前記通信相手に送信する、請求項７に記載の通信方法。
【請求項９】
データを複数のブロックに分割し、該分割されたブロックのうちの一部を前記第１の通信網を経由して前記通信相手に送信し、残りを前記第２の通信網を経由して前記通信相手に送信する、請求項７又は８に記載の通信方法。
【請求項１０】
前記分割されたデータを、ブロックごとに、前記第１の通信網と第２の通信網とを切り替えて送信する、請求項９に記載の通信方法。
【請求項１１】
前記第１の通信網が携帯網であり、前記第２の通信網が固定網である、請求項７乃至１０の何れか一に記載の通信方法。
【請求項１２】
セキュリティー設定を判定するステップと、データ送信に用いる通信網を選択するステップとを更に有し、前記データを送信するステップでは、セキュリティー設定がオンで、かつ、データ送信の用いられる通信網として前記固定網が選択されているとき、前記生成されたデータの一部を前記携帯網を経由して前記通信相手に送信し、残りを前記固定網を経由して前記通信相手に送信する、請求項１１に記載の通信方法。
【請求項１３】
通信装置を構成するデータ処理装置に、
通信相手に対して、データの一部を第１の通信網を経由して送信し、残りを前記第１の通信網とは異なる第２の通信網を経由して送信する処理を実行させるプログラム。
【請求項１４】
前記データ処理装置に、データを暗号化する処理と、前記暗号化されたデータの復号化に用いる復号化キーを生成する処理とを更に実行させ、前記送信する処理では、前記復号化キーを前記第１の通信網を経由して前記通信相手に送信し、前記暗号化されたデータを前記第２の通信網を経由して前記通信相手に送信する、請求項１３に記載のプログラム。
【請求項１５】
前記データ処理装置に、データを複数のブロックに分割する処理を更に実行させ、前記送信する処理では、前記分割されたブロックのうちの一部を前記第１の通信網を経由して前記通信相手に送信し、残りを前記第２の通信網を経由して前記通信相手に送信する、請求項１３又は１４に記載のプログラム。
【請求項１６】
前記送信する処理では、前記分割されたデータを、ブロックごとに、前記第１の通信網と第２の通信網とを切り替えて送信する、請求項１５に記載のプログラム。
【請求項１７】
前記第１の通信網が携帯網であり、前記第２の通信網が固定網である、請求項１３乃至１６の何れか一に記載のプログラム。
【請求項１８】
前記データ処理装置に、セキュリティー設定を判定する処理と、データ送信に用いる通信網を選択する処理とを更に実行させ、前記データを送信する処理では、セキュリティー設定がオンで、かつ、データ送信の用いられる通信網として前記固定網が選択されているとき、前記生成されたデータの一部を前記携帯網を経由して前記通信相手に送信し、残りを前記固定網を経由して前記通信相手に送信する、請求項１７に記載のプログラム。
【発明の詳細な説明】
【技術分野】
【０００１】
本発明は、通信装置に関し、更に詳しくは、複数の通信網を経由して通信相手との通信が可能な通信装置に関する。また、本発明は、そのような通信装置における通信方法及びプログラムに関する。
【背景技術】
【０００２】
複数の通信経路を用いて通信相手との通信が可能な通信装置がある。その様な通信装置の一例として、携帯電話サービスと固定電話サービスとを統合するＦＭＣ（Fixed Mobile Convergence）の機能を有する携帯電話機が知られている（例えば、特許文献１参照）。ＦＭＣの機能を有する携帯電話機は、通常は、携帯網の無線基地局に接続し、携帯網を通じて通信相手との通信を行う。携帯電話機は、固定網に接続されたフェムトセルの通信可能エリア内ではフェムトセルに接続し、固定網を通じて通信相手との通信を行う。
【先行技術文献】
【特許文献】
【０００３】
【特許文献１】特開２００７−３０６３１２号公報
【発明の概要】
【発明が解決しようとする課題】
【０００４】
ここで、通信網において、同一の回線でデータを送受信していると、その回線が傍受されることで、通信の内容が漏えいするリスクが高まる。一般に、携帯網では、ユーザが通信を行う場所は一意には決まらないので、携帯網内の特定の箇所で特定ユーザの通信を傍受することは困難であると考えられる。しかし、固定網を通じてデータ送信を行う場合、同じユーザのデータが同じ場所から送信されることになるので、通信内容が漏えいするリスクは、携帯網を通じてデータ送信を行う場合に比して高くなると言える。
【０００５】
なお、特許文献１には、セキュリティーレベルを維持したまま端末へのセキュリティパラメータの設定を簡易に行うということが記載されているに過ぎない。従って、特許文献１では、データが固定網を流れることに起因するセキュリティーの低下を抑制することはできない。
【０００６】
本発明は、複数の通信経路を選択可能な通信装置にて、セキュリティーの低下を抑制可能な通信装置、通信方法、及び、プログラムを提供することを目的とする。
【課題を解決するための手段】
【０００７】
上記目的を達成するために、本発明は、送信すべきデータを生成するデータ生成部と、通信相手に対して、前記生成されたデータの一部を第１の通信網を経由して送信し、残りを前記第１の通信網とは異なる第２の通信網を経由して送信するデータ送信部とを備える通信装置を提供する。
【０００８】
本発明は、通信相手に対して、データの一部を第１の通信網を経由して送信し、残りを前記第１の通信網とは異なる第２の通信網を経由して送信する通信方法を提供する。
【０００９】
本発明は、通信装置を構成するデータ処理装置に、通信相手に対して、データの一部を第１の通信網を経由して送信し、残りを前記第１の通信網とは異なる第２の通信網を経由して送信する処理を実行させるプログラムを提供する。
【発明の効果】
【００１０】
本発明の通信装置、通信方法、及び、プログラムは、複数の通信経路を選択可能な通信装置にて、セキュリティーの低下を抑制することができる。
【図面の簡単な説明】
【００１１】
【図１】本発明の第１実施形態の通信装置を含む通信システムを示すブロック図。
【図２】本発明の第１実施形態の通信装置を示すブロック図。
【図３】データ送信時の処理手順を示すフローチャート。
【図４】本発明の第２実施形態の通信装置を示すブロック図。
【図５】第２実施形態におけるデータ送信時の処理手順を示すフローチャート。
【発明を実施するための形態】
【００１２】
以下、図面を参照し、本発明の実施の形態を詳細に説明する。図１は、本発明の第１実施形態の通信装置を含む通信システムを示している。通信システムは、携帯網２０１と、固定網２０２とを含む。携帯網２０１は、例えば携帯電話会社が提供する通信網である。固定網２０２は、例えば固定電話会社が提供する通信網である。或いは、固定網２０２は、インターネットサービスプロバイダ（ＩＳＰ）が提供するＩＰ(Internet Protocol)網のような通信網であってもよい。携帯網２０１と固定網２０２とは、互いに独立した通信網である。携帯網２０１と固定網２０２は、図示しないゲートウェイなどを介して相互に接続されている。
【００１３】
無線基地局２０３は、携帯端末（通信装置）１００との間で無線通信を行う。無線基地局２０３は、携帯端末１００の通話・通信を、携帯網２０１との間で中継する。フェムトセル２０４は、小型の無線基地局である。フェムトセル２０４は、無線基地局２０３のカバーエリア内に設置されている。フェムトセル２０４のカバーエリアは、無線基地局２０３のカバーエリアよりも狭い。フェムトセル２０４は、携帯端末１００の通話・通信を、固定網２０２との間で中継する。
【００１４】
携帯端末１００は、無線基地局２０３及びフェムトセル２０４の双方と接続可能なときは、フェムトセル２０４に優先的に接続する。携帯端末１００は、フェムトセル２０４に接続できないときは、無線基地局２０３に接続する。携帯端末１００は、フェムトセル２０４に接続したときは、固定網２０２を介して通信相手３０１との間で通話・通信を行う。携帯端末１００は、無線基地局２０３に接続したときは、携帯網２０１を介して通信相手３０１との間で通話・通信を行う。
【００１５】
図２は、携帯端末１００の構成を示している。携帯端末１００は、データ処理装置１０、記憶装置２０、入力装置３０、出力装置４０、及び、無線装置５０を有する。記憶装置２０は、メモリ２１を有する。メモリ２１には、携帯端末装置を制御するためのプログラムなどが格納されている。データ処理装置１０は、記憶装置２０からプログラムを読み出し、読み出したプログラムに従って入出力装置の制御や、通話・通信などの制御を行う。
【００１６】
入力装置３０は、キーボード３１とマイク３２とを有する。キーボード３１は、ユーザのキー入力を受け付ける。マイク３２は、音声入力装置である。出力装置４０は、表示部４１とレシーバー４２とを有する。表示部４１は、液晶表示部などの表示装置である。レシーバー４２は、音声出力装置である。無線装置５０は、無線部５１を有する。無線部５１は、アンテナ５２を介して、無線基地局２０３又はフェムトセル２０４との間で無線通信を行う。
【００１７】
データ処理装置１０は、データ生成部１１、データ送信部１２、接続先選択部１３、及び、セキュリティー設定判定部１４を有する。接続先選択部１３は、無線部５１がフェムトセル２０４に接続可能か否かを判定し、その判定結果に従って無線装置５０の接続先を選択する。接続先選択部１３は、無線部５１がフェムトセル２０４に接続可能な場合は、接続先の通信網として、固定網２０２を選択する。接続先選択部１３は、無線部５１がフェムトセル２０４に接続できないときは、接続先の通信網として、携帯網２０１を選択する。
【００１８】
ユーザは、事前に、キーボード３１を操作して、セキュリティー設定を行うことができる。データ処理装置１０は、例えば、ユーザがセキュリティー設定をオンにしたときは、メモリ２１内のフラグを“１”にセットし、オフにしたときはフラグを“０”にセットする。セキュリティー設定は、通信内容ごとに設定することが可能である。例えば、ユーザは、特定の画像データの通信について、セキュリティー設定をオンに設定できる。セキュリティー設定判定部１４は、通信に際して、ユーザがセキュリティー設定をオンにしているか否かを判定する。
【００１９】
データ生成部１１は、無線部５１を用いて通信相手３０１（図１）に送信すべきデータを生成する。データ送信部１２は、データ生成部１１が生成したデータを受け取り、受け取ったデータを、無線装置５０を用いて通信相手３０１に向けて送信する。その際、データ送信部１２は、接続先選択部１３が固定網２０２を選択し、かつ、セキュリティー設定がオンのときは、データの一部を無線基地局２０３を介して携帯網２０１を経由して通信相手３０１に送信し、残りを、フェムトセル２０４を介して固定網２０２を経由して通信相手３０１に送信する。
【００２０】
データ生成部１１は、暗号化部１５と、復号化キー生成部１６とを有する。暗号化部１５は、接続先選択部１３が固定網２０２を選択し、かつ、セキュリティー設定がオンのとき、データ生成部１１が生成したデータを暗号化する。また、復号化キー生成部１６は、暗号化部１５が暗号化したデータの復号化に用いる復号化キーを生成する。データ生成部１１は、セキュリティー設定がオンのとき、暗号化されたデータと復号化キーとをデータ送信部１２に渡す。データ生成部１１は、セキュリティー設定がオフのときは、データをそのままデータ送信部１２に渡す。
【００２１】
データ送信部１２は、セキュリティー設定がオンで、かつ、接続先選択部１３が固定網２０２を選択しているとき、データ生成部１１から、暗号化されたデータ（データ本体）と復号化キーとを受け取る。データ送信部１２は、受け取ったデータのうち、復号化キーを、携帯網２０１を経由して通信相手３０１に送信する。また、データ送信部１２は、受け取ったデータのうち、暗号化されたデータ本体を、固定網２０２を経由して通信相手３０１に送信する。
【００２２】
データ送信部１２は、上記以外のとき、すなわち、セキュリティー設定がオフ、又は、接続先選択部１３が携帯網２０１を選択しているときは、データ生成部１１から、暗号化されていないデータを受け取る。データ送信部１２は、データ生成部１１から受け取ったデータを、通常通り、携帯網２０１又は固定網２０２を経由して、通信相手３０１にデータを送信する。
【００２３】
図３は、データ送信時の処理手順を示している。ユーザが携帯端末１００を操作して回線に接続し、通信相手３０１（図１）に対してデータを送信する場合を考える。携帯端末１００は、フェムトセル２０４のカバーエリア内に存在しているとする。つまり、接続先選択部１３は、固定網２０２を選択しているとする。セキュリティー設定判定部１４は、通信に際して、送信するデータに対するセキュリティー設定を読み出す（ステップＡ１）。セキュリティー設定判定部１４は、セキュリティー設定がオンであるか否かを判定する（ステップＡ２）。
【００２４】
セキュリティー設定判定部１４は、判定結果をデータ生成部１１及びデータ送信部１２に通知する。データ生成部１１は、セキュリティー設定判定部１４にてセキュリティー設定がオンでないと判定されたときは、メモリ２１からデータを読み出し、これをデータ送信部１２に渡す。データ送信部１２は、データ生成部１１から受け取ったデータを、通常のデータ送信で通信相手３０１に送信する（ステップＡ８）。すなわち、データ送信部１２は、固定網２０２を経由して、データを通信相手３０１に向けて送信する。なお、データ送信部１２は、接続先選択部１３が携帯網２０１を選択しているときは、ステップＡ８と同様な動作で、データを、携帯網２０１を経由して通信相手３０１に向けて送信する。
【００２５】
データ生成部１１は、セキュリティー設定判定部１４がセキュリティー設定がオンであると判定したときは、暗号化部１５を用いてデータを暗号化すると共に、復号化キー生成部１６を用いて復号化キーを生成する（ステップＡ３）。接続先選択部１３は、暗号化が終了すると、無線基地局２０３へ接続し、接続先の通信網を、固定網２０２から携帯網２０１に切り替える（ステップＡ４）。データ送信部１２は、ステップＡ３で生成された復号化キーを、携帯網２０１を経由して通信相手３０１に向けて送信する（ステップＡ５）。携帯端末１００から送信された復号化キーは、無線基地局２０３及び携帯網２０１を経由して、通信相手３０１で受信される。
【００２６】
接続先選択部１３は、復号化キーの送信後、フェムトセル２０４に接続し、接続先の通信網を携帯網２０１から固定網２０２に切り替える（ステップＡ６）。データ送信部１２は、ステップＡ３で生成した暗号化されたデータ（データ本体）を、固定網２０２を経由して通信相手３０１に向けて送信する（ステップＡ７）。携帯端末１００から送信された暗号化データは、フェムトセル２０４及び固定網２０２を通って携帯網２０１に入り、通信相手３０１で受信される。通信相手３０１は、受信した復号化キーを用いて暗号化データを復号化する。
【００２７】
なお、データ処理装置１０は、ステップＡ４で無線基地局２０３に接続する際に、接続先が見つからなかったときは、接続可能な回線にてデータを送信すべきか否かの判断を求めるメッセージを表示部４１に表示し、ユーザの判断を待ってもよい。ユーザは、表示画面を見てキーボード３１を操作し、データ処理装置に対して指示を与える。データ処理装置１０は、ステップＡ６でフェムトセル２０４に接続する際に、接続先が見つからなかった場合も、同様に、表示部４１にユーザの判断を求めるメッセージを表示し、ユーザの判断を待ってもよい。
【００２８】
本実施形態では、携帯端末１００は、送信すべきデータのうちの一部として、復号化キーを携帯網２０１を経由して通信相手３０１に送信し、残りの暗号化されたデータ本体を固定網２０２を経由して通信相手３０１に送信する。本実施形態では、送信データは暗号化されており、かつ、復号化キーは携帯網２０１を経由して送信されるので、固定網２０２にて通信を傍受したとしても、傍受した通信の内容から送信データを復号化することはできない。本実施形態では、復号化キーと暗号化キーを別々の通信網を経由して通信相手に送信しているので、送信するデータのセキュリティーを向上させることができる。
【００２９】
本実施形態では、ユーザは、セキュリティー設定を任意に設定できる。携帯端末１００は、セキュリティー設定をオンにした特定のデータ送信については、データに暗号化を施した上で、暗号化データの復号化に用いる復号化キーを、データ本体とは異なる通信網を経由して送信する。一方、携帯端末１００は、セキュリティー設定がオフのデータについては、通常通り、携帯網２０１又は固定網２０２の何れか一方を経由してデータを送信する。このように、ユーザは、データに応じて、セキュリティーの強化機能をオン／オフすることができる。
【００３０】
図４は、本発明の第２実施形態の携帯端末を示している。図２に示す第１実施形態との相違点は、データ生成部１１ａが、データ分割部１７を有する点である。データ分割部１７は、通信相手３０１（図１）に送信すべきデータを複数のブロックに分割する。データ生成部１１ａは、分割されたデータをデータ送信部１２に渡す。データ送信部１２は、分割されたブロックのうちの一部を携帯網２０１を経由して通信相手３０１に送信し、残りを固定網２０２を経由して通信相手３０１に送信する。
【００３１】
図５は、データ送信時の処理手順を示している。ここでは、ユーザが携帯端末１００を操作して回線に接続し、通信相手３０１に対してデータを送信する場合を考える。携帯端末１００は、フェムトセル２０４のカバーエリアに存在しているとする。つまり、接続先選択部１３は、固定網２０２を選択しているとする。セキュリティー設定判定部１４は、通信に際して、送信するデータに対するセキュリティー設定を読み出す（ステップＢ１）。セキュリティー設定判定部１４は、セキュリティー設定がオンであるか否かを判定する（ステップＢ２）。
【００３２】
セキュリティー設定判定部１４は、判定結果をデータ生成部１１ａ及びデータ送信部１２に通知する。データ生成部１１ａは、セキュリティー設定判定部１４にてセキュリティー設定がオンでないと判定されたときは、通常のデータ送信で、通信相手３０１にデータを送信する（ステップＢ８）。すなわち、データ送信部１２は、固定網２０２を経由して、データを通信相手３０１に向けて送信する。なお、データ送信部１２は、接続先選択部１３が携帯網２０１を選択しているときは、ステップＢ８と同様な動作で、データを、携帯網２０１を経由して通信相手３０１に向けて送信する。ここまでのステップは、図３に示す第１実施形態における手順と同じである。
【００３３】
データ生成部１１ａは、セキュリティー設定判定部１４がセキュリティー設定がオンであると判定したときは、データ分割部１７を用いてデータを所定サイズ単位に分割する。データ生成部１１ａは、分割されたデータを、順次にデータ送信部１２へ出力する。接続先選択部１３は、フェムトセル２０４へ接続し、接続先の通信網を、固定網２０２とする（ステップＢ３）。データ送信部１２は、分割されたデータを、固定網２０２を経由して通信相手３０１に向けて送信する（ステップＢ４）。携帯端末１００から送信されたデータ（ブロック）は、フェムトセル２０４及び固定網２０２を通って携帯網２０１に入り、通信相手３０１で受信される。
【００３４】
接続先選択部１３は、無線基地局２０３に接続し、接続先の通信網を固定網２０２から携帯網２０１へ切り替える（ステップＢ５）。データ送信部１２は、分割されたデータの続きを、携帯網２０１を経由して通信相手３０１に向けて送信する（ステップＢ６）。携帯端末１００から送信されたデータ（ブロック）は、無線基地局２０３及び携帯網２０１を経由して、通信相手３０１で受信される。
【００３５】
データ送信部１２は、分割データを全て送信したか否かを判断する（ステップＢ７）。データ送信部１２は、全ての分割データを送信し終わっていないと判断すると、ステップＢ３に戻る。データ送信部１２は、ブロックごとに、接続先の通信網を固定網２０２と携帯網２０１との間で切り替えて、残りのブロックの送信を継続する。
【００３６】
本実施形態では、データ送信部１２は、分割データを、携帯網２０１と固定網２０２との双方を用いて、通信相手に送信する。本実施形態では、データ送信時に通信網を切り替えて使用するため、データの一部が携帯網２０１を通り、残りが固定網２０２を通ることになる。このため、たとえ固定網２０２にてユーザの通信を傍受したとしても、ユーザが通信相手３０１に送信したデータの内容は全て揃わない。従って、第１実施形態と同様に、データの傍受が困難になり、セキュリティーレベルの向上が可能である。
【００３７】
なお、第１実施形態と第２実施形態とは組み合わせて用いることもできる。すなわち、暗号化されたデータを複数のブロックに分割し、分割したデータ（暗号化データ）を、携帯網２０１と固定網２０２とを切り替えつつ通信相手３０１に送信してもよい。その際、復号化キーについては、分割しなくてもよい。第２実施形態では、ブロックごとに接続先の通信網を携帯網２０１と固定網２０２との間で切り替えたが、必ずしもブロックごとに切り替える必要はない。また、分割データの各ブロックは、同一サイズである必要はない。例えば、携帯網２０１を経由して送信されるデータのブロックのサイズを、固定網２０２を経由して送信されるデータのブロックのサイズよりも小さくしてもよい。
【００３８】
第１実施形態では、セキュリティー設定がオフのときは暗号化しない例について説明したが、データ生成部１１は、セキュリティー設定がオフのときも暗号してもよい。また、データ生成部１１は、接続先選択部１３が携帯網２０１を選択しているときに、データを暗号化してもよい。その場合は、復号化キー及び暗号化データを、携帯網２０１又は固定網２０２の何れか一方を経由して通信相手３０１に送信すればよい。
【００３９】
上記各実施形態では、携帯端末１００が利用可能な通信網が携帯網２０１と固定網２０２である例について説明したが、携帯端末が利用可能な通信網は、互いに異なる通信網であればよく、携帯網と固定網とには限定されない。例えば、携帯網と、別の携帯網との組み合わせ、或いは、固定網と別の固定網との組み合わせでもよい。その場合でも、何れか一方の通信網を傍受してもデータの内容が全て揃わないので、全てのデータを単一の通信網を経由して送信する場合に比して、セキュリティーを向上できる効果がある。
【００４０】
図１では、通信相手３０１は、携帯端末１００が接続する無線基地局２０３とは異なる無線基地局に接続する端末としているが、これには限定されない。例えば、携帯端末１００が接続する無線基地局２０３に接続する端末であってもよい。或いは、通信相手３０１は、フェムトセル２０４を介して固定網２０２に接続する別の端末や、固定網２０２に有線で接続する端末であってもよい。また、通信相手は、携帯網２０１及び固定網２０２にゲートウェイなどを介して接続された別のネットワークに接続される端末でもよい。
【００４１】
以上、本発明をその好適な実施形態に基づいて説明したが、本発明の通信装置、通信方法、及び、プログラムは、上記実施形態にのみ限定されるものではなく、上記実施形態の構成から種々の修正及び変更を施したものも、本発明の範囲に含まれる。
【００４２】
最後に、本発明の最小構成について説明する。本発明の通信装置は、最小構成として、データ生成部とデータ送信部とを備える。データ生成部は、送信すべきデータを生成する。データ送信部は、通信相手に対して、データ生成部が生成したデータの一部を第１の通信網を経由して送信し、残りを第１の通信網とは異なる第２の通信網を経由して送信する。
【００４３】
本発明の通信方法の最小構成は、通信相手に対して、データの一部を第１の通信網を経由して送信し、残りを第１の通信網とは異なる第２の通信網を経由して送信するという構成である。
【００４４】
本発明のプログラムの最小構成は、通信装置を構成するデータ処理装置に、通信相手に対して、データの一部を第１の通信網を経由して送信し、残りを第１の通信網とは異なる第２の通信網を経由して送信する処理を実行させるという構成である。
【００４５】
本発明では、一部を第１の通信網を経由して送信し、残りを第２の通信網を経由して送信する。単一の通信網を経由してデータ送信を行う場合、その通信網が傍受されると、通信の内容が第三者に知られるおそれがある。本発明では、データを全て単一の通信網を経由して送信しないので、データの傍受を行うとする第三者は、第１の通信網と第２の通信網との双方を傍受しなくてはならない。従って、単一の通信網を経由して送信を行う場合に比して、セキュリティーを向上させることができる。
【００４６】
特に、第１の通信網が携帯網で、第２の通信網が固定網であるとすると、固定網は、携帯網に比して安全性が低いことが考えられる。本発明では、全てのデータを固定網を経由して送信するのではなく、一部を安全性が高い携帯網を経由して送信するので、セキュリティーの向上が可能である。
【符号の説明】
【００４７】
１００：携帯端末（通信装置）
２０１：携帯網（第１の通信網）
２０２：固定網（第２の通信網）
２０３：無線基地局
２０４：フェムトセル
３０１：通信相手
１０：データ処理装置
１１：データ生成部
１２：データ送信部
１３：接続先選択部
１４：セキュリティー設定判定部
１５：暗号化部
１６：復号化キー生成部
１７：データ分割部
２０：記憶装置
２１：メモリ
３０：入力装置
３１：キーボード
３２：マイク
４０：出力装置
４１：表示部
４２：レシーバー
５０：無線装置
５１：無線部
５２：アンテナ
【図１】
2010258644.tif 000003
【図２】
2010258644.tif 000004
【図３】
2010258644.tif 000005
【図４】
2010258644.tif 000006
【図５】
2010258644.tif 000007